(57)【要約】【課題】  低廉かつ強度の優れたガラス基板を備える表示装置を得る。【解決手段】  画素が配置される基板がガラスから構成され、このガラスの画素と反対側の面にシラン化合物が被膜されている。【選択図】    図１
2005227432.tif 000002
【特許請求の範囲】
【請求項１】
画素が配置される基板がガラスから構成され、このガラスの画素と反対側の面にシラン化合物が被膜されていることを特徴とする表示装置。
【請求項２】
画素が配置される基板がガラスから構成され、このガラスの画素側の面にシラン化合物が被膜されていることを特徴とする表示装置。
【請求項３】
ガラスの側面にもシラン化合物が被膜されていることを特徴とする請求項１、２のいずれかに記載の表示装置。
【請求項４】
液晶を介して対向配置される各基板を有し、該各基板のうちの少なくとも一方がガラスから構成され、そのガラスの液晶と反対側の面にシラン化合物が被膜されていることを特徴とする表示装置。
【請求項５】
前記各基板はそのいずれもガラスから構成され、それらガラスの液晶と反対側の面にシラン化合物が被膜されていることを特徴とする請求項４に記載の表示装置。
【請求項６】
液晶を介して対向配置される各基板を有し、該各基板のうちの少なくとも一方がガラスから構成され、そのガラスの液晶と反対側の面および側面にシラン化合物が被膜されていることを特徴とする表示装置。
【請求項７】
前記各基板はそのいずれもガラスから構成され、それらガラスの液晶と反対側の面および側面にシラン化合物が被膜されていることを特徴とする請求項６に記載の表示装置。
【請求項８】
液晶を介して対向配置される各基板を有し、該各基板のうちの少なくとも一方がガラスから構成され、そのガラスの液晶側の面と反対側の面にシラン化合物が被膜されていることを特徴とする表示装置。
【請求項９】
前記各基板はそのいずれもガラスから構成され、それらガラスの液晶側の面と反対側の面にシラン化合物が被膜されていることを特徴とする請求項８に記載の表示装置。
【請求項１０】
表示装置は携帯用電話のそれとして用いられることを特徴とする請求項１から９のうちいずれかに記載の表示装置。
【発明の詳細な説明】
【技術分野】
【０００１】
本発明は表示装置に係り、たとえば液晶表示装置等の表示装置に関する。
【背景技術】
【０００２】
たとえば液晶表示装置は、液晶を薄い層として定位置に確保させるため該液晶を挟むようにして対向配置される各基板を外囲器とする。
【０００３】
各画素の液晶に電界を生じさせ、その光変調度合いを前記基板を通して認識できるようになっている。
【０００４】
このため、前記基板としては透明基板が用いられ、その材料としては通常ガラスが選定される。
【０００５】
しかし、このガラスは外的な障害によって割れ易いという性質を有するため、その強度を少しでも向上させるという対策が試みられている。
【発明の開示】
【発明が解決しようとする課題】
【０００６】
このように表示装置のガラス基板はその強度向上が図られたものが望ましいが、たとえば、その表面をエッチングあるいは研磨を行なうことが考えられる。ガラス基板の表面には微細傷が存在し、この微細傷を発端として割れが生じ易いことから、この微細傷をエッチング等で除去せんとするものである。しかし、上述した作業は時間を要し、コストの増加を免れ得ないものであった。
【０００７】
本発明は、このような事情に基づいてなされたものであり、その目的は、低廉かつ強度の優れたガラス基板を備える表示装置を提供することにある。
【課題を解決するための手段】
【０００８】
本願において開示される発明のうち、代表的なものの概要を簡単に説明すれば、以下のとおりである。
（１）
本発明による表示装置は、たとえば、画素が配置される基板がガラスから構成され、このガラスの画素と反対側の面にシラン化合物が被膜されていることを特徴とする。
【０００９】
（２）
本発明による表示装置は、たとえば、画素が配置される基板がガラスから構成され、このガラスの画素側の面にシラン化合物が被膜されていることを特徴とする。
【００１０】
（３）
本発明による表示装置は、たとえば、（１）、（２）のいずれかの構成を前提とし、ガラスの側面にもシラン化合物が被膜されていることを特徴とする。
【００１１】
（４）
本発明による表示装置は、たとえば、液晶を介して対向配置される各基板を有し、該各基板のうちの少なくとも一方がガラスから構成され、そのガラスの液晶と反対側の面にシラン化合物が被膜されていることを特徴とする。
【００１２】
（５）
本発明による表示装置は、たとえば、（４）の構成を前提とし、前記各基板はそのいずれもガラスから構成され、それらガラスの液晶と反対側の面にシラン化合物が被膜されていることを特徴とする。
【００１３】
（６）
本発明による表示装置は、たとえば、液晶を介して対向配置される各基板を有し、該各基板のうちの少なくとも一方がガラスから構成され、そのガラスの液晶と反対側の面および側面にシラン化合物が被膜されていることを特徴とする。
【００１４】
（７）
本発明による表示装置は、たとえば、（６）の構成を前提とし、前記各基板はそのいずれもガラスから構成され、それらガラスの液晶と反対側の面および側面にシラン化合物が被膜されていることを特徴とする。
【００１５】
（８）
本発明による表示装置は、たとえば、液晶を介して対向配置される各基板を有し、該各基板のうちの少なくとも一方がガラスから構成され、そのガラスの液晶側の面と反対側の面にシラン化合物が被膜されていることを特徴とする。
【００１６】
（９）
本発明による表示装置は、たとえば、（８）の構成を前提とし、前記各基板はそのいずれもガラスから構成され、それらガラスの液晶側の面と反対側の面にシラン化合物が被膜されていることを特徴とする。
【００１７】
（１０）
本発明による表示装置は、たとえば（１）から（９）のいちいずれかの構成を前提とし、携帯用電話のそれとして用いられることを特徴とする。
【００１８】
なお、本発明は以上の構成に限定されず、本発明の技術思想を逸脱しない範囲で種々の変更が可能である。
【発明を実施するための最良の形態】
【００１９】
以下、本発明による表示装置の実施例を図面を用いて説明する。
図１は、本発明による表示装置、そのうちの液晶表示装置の一実施例を示した構成図であり、たとえば携帯用電話に組み込まれる液晶表示パネルを示している。
【００２０】
図１（ａ）は平面図を、図１（ｂ）は図１（ａ）のｂ−ｂ線における断面図を示している。
まず、図１（ａ）に示すように、液晶表示パネルＰＮＬは互いに対向配置される一対のガラスからなる透明基板ＳＵＢ１、ＳＵＢ２を外囲器とし、たとえば透明基板ＳＵＢ２側から液晶表示部ＡＲを観察するようになっている。
【００２１】
透明基板ＳＵＢ１の液晶側の表面には、該液晶表示部ＡＲにてマトリクス状に配置される各画素を駆動するための信号線が形成され、この信号線は該透明基板ＳＵＢ１のたとえば一辺部にまで延在されて信号供給のための端子ＴＭが設けられている。
【００２２】
このため、透明基板ＳＵＢ２は、透明基板ＳＵＢ１の端子ＴＭが形成された領域露出させるように形成され、透明基板ＳＵＢ１よりも小さい基板となっている。
【００２３】
透明基板ＳＵＢ１に対する透明基板ＳＵＢ２の固定は、該透明基板ＳＵＢ１との間に僅かの隙間を有して、該透明基板ＳＵＢ１の周辺に形成したシール材ＳＬによってなされている。
【００２４】
各透明基板ＳＵＢ１、ＳＵＢ２およびシール材ＳＬに囲まれた部分には液晶ＬＣが充填され、この液晶ＬＣは各画素において独立に制御されて発生する電界によってその光変調が制御されるようになっている。
【００２５】
透明基板ＳＵＢ１の液晶側の面には、前記信号線を含め、パターン化された他の導電層、あるいは絶縁層、半導体層等が積層されて電子回路ＣＥを構成し、また、透明基板ＳＵＢ２の液晶側の面にもたとえばカラーフィルタ（図示せず）等が形成されている。
【００２６】
そして、透明基板ＳＵＢ１の液晶ＬＣと反対側の面にはシラン化合物からなる層ＮＯＬが被膜され、同様に透明基板ＳＵＢ２の液晶ＬＣと反対側の面にもシラン化合物からなる層ＮＯＬが被膜されている。
【００２７】
これらシラン化合物からなる層ＮＯＬは、たとえば、各透明基板ＳＵＢ１、ＳＵＢ２を互いに重ね合わせて組み立てられる以前から、これら基板の一面に予め形成されたものとなっている。
【００２８】
さらに、透明基板ＳＵＢ１を例にとれば、その透明基板ＳＵＢ１として個々に分離する以前から複数枚取りの大きな基板の面に予め形成されたものとなっている。
【００２９】
この場合、前記シラン化合物からなる層ＮＯＬは、前記基板を２％フルオロアルキルシランのメタノール溶液にデップし、その後、該基板を風乾ことによって形成させることができる。なお、風乾に代えて、約８０°の温度で約３０分加熱するようにしてもよい。
【００３０】
また、前記フルオロアルキルシランの他に、クロロシラン、アルコキシシラン等を用いることによって、同様のシラン化合物からなる層ＮＯＬを形成することができる。
【００３１】
なお、図示されていないが、透明基板ＳＵＢ１、ＳＵＢ２の液晶ＬＣと反対側の面には偏光板、すなわち、液晶の電界による変調を可視化させるための光学部材が被覆されるのが通常であるが、この場合、前記シラン化合物からなる層ＮＯＬが被膜された面に配置させるようになっている。
【００３２】
このように構成された液晶表示装置は、その透明基板ＳＵＢ１、ＳＵＢ２のいずれもが、その強度検査において優れた特性を有するものとして確認することができる。
【００３３】
シラン化合物をコーティングすることにより、該透明基板ＳＵＢ１、ＳＵＢ２の表面に存在する微細傷を除くことができ、この微細傷を発端とする割れも防止することができる。
【００３４】
また、透明基板ＳＵＢ１、ＳＵＢ２面の前記シラン化合物の形成は被膜によってできることから、その作業も容易であり、廉価なものを得ることができる。
【００３５】
図２は、本発明による表示装置の他の実施例を示す図で、図１（ｂ）に対応した図となっている。図１（ｂ）の場合と比較して異なる構成は、透明基板ＳＵＢ１、ＳＵＢ２のそれぞれの液晶ＬＣの側と反対側の面に形成した前記シラン化合物からなる層ＮＯＬは、該面に限らずその側面にまで至って形成されていることにある。
【００３６】
この場合、表示装置を組み立てる際における各透明基板ＳＵＢ１、ＳＵＢ２に前記シラン化合物からなる層ＮＯＬを形成するようになるが、これら基板全体の機械的強度を向上させることができるようになる。
【００３７】
図３は、本発明による表示装置の他の実施例を示す図で、図１（ｂ）に対応した図となっている。図１（ｂ）の場合と比較して異なる構成は、前記シラン化合物からなる層ＮＯＬは透明基板ＳＵＢ１、ＳＵＢ２のそれぞれの液晶ＬＣの側と反対側の面ではなく、液晶ＬＣの側の面に形成されていることにある。
このようにした場合であっても、同様の効果を奏することはいうまでもない。
【００３８】
図４は、本発明による表示装置の他の実施例を示す図で、図１（ｂ）に対応した図となっている。図１（ｂ）の場合と比較して異なる構成は、前記シラン化合物からなる層ＮＯＬは透明基板ＳＵＢ２の液晶ＬＣの側と反対側の面に形成され、透明基板ＳＵＢ１側には該層ＮＯＬを形成しない構成としたことにある。
【００３９】
透明基板ＳＵＢ２が、観察者の見る側に配置されるとした場合、該透明基板ＳＵＢ２の方が透明基板ＳＵＢ１よりも機械的な衝撃の回数が多いものと想定し、必要最小限の部分にのみ前記シラン化合物からなる層ＮＯＬを設けた構成としたものである。
【００４０】
上述した各実施例はそれぞれ単独に、あるいは組み合わせて用いても良い。それぞれの実施例での効果を単独であるいは相乗して奏することができるからである。
【００４１】
また、上述した実施例では、そのいずれにおいて透明基板ＳＵＢ１、ＳＵＢ２をガラス基板としたものであるが、少なくとも一方のみがガラス基板で構成されている場合にも適用できるものである。
【００４２】
また、上述した実施例では、液晶表示装置を例として説明したものであるが、他の表示装置、たとえば有機ＥＬ表示装置等においても適用できることはいうまでもない。有機ＥＬ表示装置においても、その表示部には多数の画素が配置され、これら各画素は透明基板の表面にて半導体技術からなる微細加工を用いて形成されることは、液晶表示装置の場合と同様であるからである。
【図面の簡単な説明】
【００４３】
【図１】本発明による表示装置の一実施例を示す構成図である。
【図２】本発明による表示装置の他の実施例を示す構成図である。
【図３】本発明による表示装置の他の実施例を示す構成図である。
【図４】本発明による表示装置の他の実施例を示す構成図である。
【符号の説明】
【００４４】
ＳＵＢ１、ＳＵＢ２……透明基板、ＡＲ……液晶表示部、ＳＬ……シール材、ＴＭ……端子、ＥＣ……電子回路、ＮＯＬ……シラン化合物の層。
【図１】
2005227432.tif 000003
【図２】
2005227432.tif 000004
【図３】
2005227432.tif 000005
【図４】
2005227432.tif 000006